(57)【要約】【課題】各種の釣竿に容易、且つ適正に着脱できる互換性を有し、通常の釣りを行いながら釣糸を自動的、且つ効果的に励起でき、釣竿に取り付けながらも違和感なく釣りを行えるなどの実用的効果が確実に得られる糸用蓄光器を提供する。【解決手段】釣竿２，３の外面に取付機構部１３を介して着脱自在に固定される電源部１０と、電源部１０から給電されて駆動する光源４７からの発光により釣糸８の糸挿通空間が光照射される光照射部１１と、電源部１０と光照射部１１との何れか一方に連結片１２の一端部が固着され、且つ何れか他方に連結片１２の他端部を摺動自在に保持する保持部５２が設けられて、連結片１２の保持部５２に対する摺動により電源部１０と光照射部１１との間隔が調整可能に構成され、且つ手動操作により連結片１２の他端部を保持部５２に固定および固定解除する止め手段５３を有する連結調節機構部１５とを備えている。【選択図】図２
2007129974.tif 000002
【特許請求の範囲】
【請求項１】
釣竿の外面に取付機構部を介して着脱自在に固定される電源部と、
前記電源部から給電されて駆動する光源からの発光により釣糸の糸挿通空間が光照射される光照射部と、
前記電源部と前記光照射部との何れか一方に連結片の一端部が固着され、且つ何れか他方に前記連結片の他端部を摺動自在に保持する保持部が設けられて、前記連結片の前記保持部に対する摺動により前記電源部と前記光照射部との間隔が調整可能に構成されているとともに、手動操作により前記連結片の他端部を前記保持部に固定および固定解除する止め手段を有する連結調節機構部と、
を備えていることを特徴とする糸用蓄光器。
【請求項２】
光源として、釣糸に含有されている蓄光剤を励起し易い紫外線領域の波長を多く含んだ光を発光するものが用いられている請求項１に記載の糸用蓄光器。
【請求項３】
紫外線発光ダイオードを光源として用いた請求項２に記載の糸用蓄光器。
【請求項４】
取付機構部が、
電源部の電池ケースの長手方向に沿って延びる溝状となった釣竿受面を有して前記電池ケースの外面に固設され、前記釣竿受面が釣竿の外面に当接される釣竿受部材と、
基端部が前記電池ケースの外面に固着されて前記釣竿受部材と共に釣竿を両側から挟み付ける帯状の固定手段と
前記固定手段の先端箇所を電池ケースの外面に係脱自在に係止させる係止保持手段と、  を備えて構成されている請求項１ないし３の何れか一項に記載の糸用蓄光器。
【請求項５】
釣竿受部材が、断面Ｖ字形の溝状となった釣竿受面を有してなり、固定手段における少なくとも釣竿に巻き付けられる箇所を摩擦係数の高い構成としたことを特徴とする請求項４に記載の糸用蓄光器。
【請求項６】
連結調節機構部が、
電源部の電池ケースまたは光照射部の外装ケースの外面の何れかに固設されて帯状の連結片をこれの長手方向に向け摺動させるように規制しながら保持する保持部と、
前記保持部に設けられ、手動操作で作動して前記連結片を前記保持部に移動不能状態に圧接させる止め具を有する止め手段と、
を備えて構成されている請求項１ないし５の何れか一項に記載の糸用蓄光器。
【請求項７】
光照射部は、
釣竿と平行となる配置で外装ケースに内装されて円筒形の内部が釣糸の糸挿通空間とされた糸ガイド筒と、
前記糸ガイド筒の外周面または内周面に形成された反射鏡部と、
前記糸ガイド筒の筒壁に釣糸の挿通方向に間隔を存して配置され、前記糸ガイド筒の糸挿通空間内に発光を導き入れるように設けられた複数の光源と、
を備えて構成されている請求項１ないし６の何れか一項に記載の糸用蓄光器。
【請求項８】
糸ガイド筒が透光性素材で形成され、この糸ガイド筒の外周面における光源の配設箇所を除く全面に反射鏡部が形成され、複数個の光源が、前記糸ガイド筒の外面における前記反射鏡部が未形成の導光窓部に近接配置されて、前記各光源の発光が導光窓部を透過して糸挿通空間内を照射するように構成されている請求項７に記載の糸用蓄光器。
【請求項９】
釣竿の内部に収容された電源部と、
前記電源部から給電されて駆動する光源からの発光により釣糸の糸挿通空間が光照射される光照射部と、
両端部が前記釣竿および前記光照射部にそれぞれ固着されて前記光照射部を前記釣竿に対し突出状態に支持させる連結片と、
を備えていることを特徴とする糸用蓄光器。
【請求項１０】
帯状の連結片の一端部が光照射部の外装ケースに固着され、釣竿に、前記連結片の他端部をこれの長手方向に向け摺動させるように規制しながら保持する保持部が固設され、前記保持部に、手動操作で作動して前記連結片の他端部を前記保持部に移動不能状態に圧接させる止め具を有する止め手段が設けられている請求項９に記載の糸用蓄光器。
【発明の詳細な説明】
【技術分野】
【０００１】
本発明は、主として、蓄光性蛍光釣糸を備えた釣具における釣竿に取り付けることにより、夜釣りをしながら上記釣糸に光照射して自動式に蓄光させる用途に好適に用いることができる糸用蓄光器に関するものである。
【背景技術】
【０００２】
従来、魚釣用の釣糸としては、強靱性、耐久性および耐衝撃性などに優れたポリアミドやフロロカーボンなどの合成樹脂モノフィラメントが主として用いられてきたが、近年では、上述の合成樹脂モノフィラメントに蓄光性蛍光顔料などの蓄光剤を含有させてなる蓄光用蛍光釣糸が開発されている。この蓄光用蛍光釣糸は、光照射することにより釣糸に含有している蓄光剤が励起されて蓄光状態となり、自発光するものである。したがって、特に夜釣りに用いた場合には、昼間のように糸筋をはっきり視認できる釣糸により、魚の引きによる糸の走り、風による糸吹け具合、糸の絡み状況、仕掛けの投入方向、投入距離などの様々な情報を得ることができるので、一層の釣果を期待できる。
【０００３】
上記蓄光用蛍光釣糸に光照射するに際しては、ヘッドランプなどの照明器具やキセノンランプ、放電管を用いたフラッシュ式蓄光器などが用いられていたが、照明器具では数分といった比較的長い時間をかけて光照射する必要があり、フラッシュ式蓄光器によりリールの糸巻きに直接光照射した場合には糸巻きの深層まで光が届かないため、上層の１０ｍｍ程度しか励起できない。また、フラッシュ式蓄光器を釣竿に取り付けて、繰り出しおよび巻き取られる釣糸に対し光照射する場合には、フラッシュの点滅発光のため、釣糸の送りにより強弱のむらができ易く、釣糸の視認性が悪い。
【０００４】
そこで、近年では、釣竿またはリールに取り付けて、リールに対し繰り出し中および巻き取り中の蓄光用蛍光釣糸に対し光照射する糸用蓄光器が提案されている（例えば、特許文献１参照）。この糸用蓄光器は、キセノンランプからなる光源を内蔵した蓄光器本体と、スイッチを備えた電源ボックスとを備えてなり、蓄光器本体の内部に蓄光用蛍光釣糸を通過させる構成になっている。
【特許文献１】特開２００４−２９８０４８号公報
【発明の開示】
【発明が解決しようとする課題】
【０００５】
しかしながら、上記特許文献１には、糸用蓄光器を釣竿またはリールに取り付けることにより、リールに対し繰り出し中および巻き取り中の蓄光用蛍光釣糸に対し光照射することができる技術思想が単に開示されているだけであって、釣竿への取付形態などの具体的な構成が全く示されていない。例えば、上記特許文献１には、使用形態の一例として、釣竿に取り付けた糸用蓄光器の内部を貫通する蓄光用蛍光釣糸に光照射しながら、蓄光用蛍光釣糸の繰り出しおよび巻き取りの操作を数回（例えば３回と記載されている）繰り返すことにより、蓄光用蛍光釣糸を励起して蓄光させたのち、糸用蓄光器を釣竿から取り外して夜釣りを行うことが記述されている。この記述から、釣竿に常に取り付けた状態で蓄光用蛍光釣糸の繰り出し時および巻き取り時にその釣糸に対し自動的に光照射することについては殆ど考慮されていないものと思われる。また、上記糸用蓄光器は光源としてキセノンランプを用いるので、釣糸を十分に励起するために、蓄光器本体は、巻き取り速度に応じて５ｃｍ〜５０ｃｍの長さが必要となる。例えば、通常の巻き取り速度である３０ｍ／分の場合には３０ｃｍもの長さが必要となり、かなりの大型化となる。
【０００６】
したがって、上記糸用蓄光器の技術思想を具現化して実用化するためには、解決しなければならない課題が数多く残存している。すなわち、上記糸用蓄光器の実用化に際しては、各種の釣竿に着脱自在に容易、且つ強固に取り付けでき、釣糸の繰り出しおよび巻き取りに支障が生じない互換性を有した取付構造、通常の釣りを行いながら釣糸の繰り出し時および巻き取り時に釣糸を自動的に光照射でき、且つ釣糸の高速移動および振れや撚れの発生などに拘らず確実な励起効果が得られる光照射手段、釣竿に取り付けたことによる重量バランスの変化による使用上の違和感の抑制手段、釣糸の糸絡みや釣糸の通過抵抗の増大による仕掛けの飛距離低下の防止などの種々の課題を解消する必要がある。
【０００７】
本発明は前記従来の問題点に鑑みてなされたもので、各種の釣竿に容易、且つ適正に着脱できる互換性を有し、通常の釣りを行いながら釣糸を自動的、且つ効果的に励起でき、釣竿に取り付けながらも違和感なく釣りを行えるなどの実用的効果が確実に得られる糸用蓄光器を提供することを目的としている。
【課題を解決するための手段】
【０００８】
前記目的を達成するために、請求項１に係る発明の糸用蓄光器は、釣竿の外面に取付機構部を介して着脱自在に固定される電源部と、前記電源部から給電されて駆動する光源からの発光により釣糸の糸挿通空間が光照射される光照射部と、前記電源部と前記光照射部との何れか一方に連結片の一端部が固着され、且つ何れか他方に前記連結片の他端部を摺動自在に保持する保持部が設けられて、前記連結片の前記保持部に対する摺動により前記電源部と前記光照射部との間隔が調整可能に構成されているとともに、手動操作により前記連結片の他端部を前記保持部に固定および固定解除する止め手段を有する連結調節機構部と、を備えていることを特徴としている。
【０００９】
請求項２に係る発明は、請求項１に係る発明の糸用蓄光器における光源として、釣糸に含有されている蓄光剤を励起し易い紫外線領域の波長を多く含んだ光を発光するものを用いたものである。
【００１０】
請求項３に係る発明は、請求項２に係る発明の糸用蓄光器における光源として、紫外線発光ダイオードを用いたものである。
【００１１】
請求項４に係る発明は、請求項１ないし３の何れか一項に係る発明の糸用蓄光器における取付機構部が、電源部の電池ケースの長手方向に沿って延びる溝状となった釣竿受面を有して前記電池ケースの外面に固設され、前記釣竿受面が釣竿の外面に当接される釣竿受部材と、基端部が前記電池ケースの外面に固着されて前記釣竿受部材と共に釣竿を両側から挟み付ける帯状の固定手段と前記固定手段の先端箇所を電池ケースの外面に係脱自在に係止させる係止保持手段と、を備えて構成されている。
【００１２】
請求項５に係る発明は、請求項４に係る発明の糸用蓄光器において、釣竿受部材が、断面Ｖ字形の溝状となった釣竿受面を有してなり、固定手段における少なくとも釣竿に巻き付けられる箇所を摩擦係数の高い構成としている。
【００１３】
請求項６に係る発明は、請求項１ないし５の何れか一項に係る発明の糸用蓄光器における連結調節機構部が、電源部の電池ケースまたは光照射部の外装ケースの外面の何れかに固設されて帯状の連結片をこれの長手方向に向け摺動させるように規制しながら保持する保持部と、前記保持部に設けられ、手動操作で作動して前記連結片を前記保持部に移動不能状態に圧接させる止め具を有する止め手段と、を備えて構成されている。
【００１４】
請求項７に係る発明は、請求項１ないし６の何れか一項に係る発明の糸用蓄光器における光照射部が、釣竿と平行となる配置で外装ケースに内装されて円筒形の内部が釣糸の糸挿通空間とされた糸ガイド筒と、前記糸ガイド筒の外周面または内周面に形成された反射鏡部と、前記糸ガイド筒の筒壁に釣糸の挿通方向に間隔を存して配置され、前記糸ガイド筒の糸挿通空間内に発光を導き入れるように設けられた複数の光源と、を備えて構成されている。
【００１５】
請求項８に係る発明は、請求項７に係る発明の糸用蓄光器において、糸ガイド筒が透光性素材で形成され、この糸ガイド筒の外周面における光源の配設箇所を除く全面に反射鏡部が形成され、複数個の光源が、前記糸ガイド筒の外面における前記反射鏡部が未形成の導光窓部に近接配置されて、前記各光源の発光が導光窓部を透過して糸挿通空間内を照射するように構成されている。
【００１６】
請求項９に係る発明の糸用蓄光器は、釣竿の内部に収容された電源部と、前記電源部から給電されて駆動する光源からの発光により釣糸の糸挿通空間が光照射される光照射部と、両端部が前記釣竿および前記光照射部にそれぞれ固着されて前記光照射部を前記釣竿に対し突出状態に支持させる連結片と、を備えていることを特徴としている。
【００１７】
請求項１０に係る発明は、請求項９に係る発明の糸用蓄光器において、帯状の連結片の一端部が光照射部の外装ケースに固着され、釣竿に、前記連結片の他端部をこれの長手方向に向け摺動させるように規制しながら保持する保持部が固設され、前記保持部に、手動操作で作動して前記連結片の他端部を前記保持部に移動不能状態に圧接させる止め具を有する止め手段が設けられている。
【発明の効果】
【００１８】
請求項１の発明によれば、止め手段を手動操作して連結片の保持部に対する固定を解除した状態で、連結片を保持部に対し摺動させて保持部からの突出長さを可変することにより、釣竿に固着の電源部に対する光照射部の離間距離を任意に可変調整できるので、光照射部の位置を、糸用蓄光器を取り付けるべき釣竿に設けられた糸ガイドのセッティング高さや糸通し孔の形成位置に適応するように設定することができる。これにより、この糸用蓄光器は、光照射部の位置を、多種の釣竿に設けられている糸ガイドのセッティング高さに適応するよう可変調整して、釣糸の通りを良くすることができるので、多種の釣竿に好適に共用できる互換性を有したものとなる。
【００１９】
請求項２の発明によれば、紫外線領域の波長成分を多く含んだ光は蓄光剤の励起効率を向上させることができるので、紫外線領域の波長成分を多く含んだ光によって釣糸の蓄光剤の励起効率の向上を図ることができるとともに、釣糸の通過速度が速い場合にも確実な励起効果を得ることができる。
【００２０】
請求項３の発明によれば、釣糸の蓄光剤の励起効率の向上を図ることができるのに加えて、紫外線発光ダイオードが紫外線領域の波長成分の光しか発しないことから、人間の目に視認され難い紫外線の光が周囲に眩しい光を拡散するといったことが生じなく、しかも、自体の省電力特性によって電池の寿命の向上が図れ、蓄光器全体の小型軽量化を図ることができる利点がある。
【００２１】
請求項４の発明によれば、糸用蓄光器における最も重量の大きい部材である電源部を釣竿に対して沿わせる配置で密接させた状態で取り付けるので、比較的容量の大きな電池を収容した場合であっても釣竿本来の重量バランスが崩れ難いので、竿振り時のぶれを抑えることができ、釣竿の振り回しの感覚に悪影響を与えることがない。また、釣竿受部材と固定手段（例えば固定バンド）とで両側から挟み付ける状態で締め付けて電源部を容易に釣竿に固定できることと、釣竿に固定した電源部に対する光照射部の間隔位置を任意に調整できることとにより、多種の釣竿に取り付けて支障無く使用できる。
【００２２】
請求項５の発明によれば、釣竿は、径が種々に異なるものであっても、釣竿受部材におけるＶ字形の溝状を有しているので、必ず釣竿の軸と電池ケースの長手方向の軸とが一致するため、釣竿受面に確実に受け止められるとともに、釣竿受面の対向側から摩擦係数の大きい構成、例えばゴム板を圧接しているため、電源部は、取付機構部を介して確実な回り止め状態で釣竿に固定されるから、釣竿が振り回されるときに釣竿の軸上で回ったり、上下に位置ずれしたりすることが生じない。
【００２３】
請求項６の発明によれば、糸ガイドのセッティング位置が、磯竿、投げ竿、ルアー竿などの釣竿の種類や番手の相違で種々に異なるのに対して、連結調節機構部において、止め手段における止め具を手動操作して連接片の保持部に対する固定をし、連結片を保持部に摺動させながら光照射部の位置を糸ガイドのセッティング高さに適応するように調整したのち、止め具の操作により連結片を固定することにより、光照射部の糸ガイド筒を、これの筒心が糸ガイドのセッティング高さに合致するように位置決めできる。これにより、釣糸の通りがスムーズになり、釣糸が糸ガイド筒内を通過するときの通過抵抗の増大による仕掛けや疑似餌などの飛距離の低下を防止できる。
【００２４】
請求項７の発明によれば、光源として、点光源を用いた場合においても、糸ガイド筒内部の糸挿通空間は、光源からの発光が反射鏡部で反射および拡散されて、空間全体がほぼ均等な分布で光照射された状態となるので、釣糸を確実に光励起することができる。また、複数個の光源が釣糸の通過方向に沿って所定の間隔で配設されているので、釣糸は、糸ガイド筒の糸貫通空間を通過する際に、複数個の光源からの各発光が時間的なずれをもって段階的に光照射されることにより、高い励起効果で効果的に蓄光される。しかも、複数個の光源を釣糸の通過方向に沿って所定の間隔で配置したことにより、光源の光出力を小さく設定することができることから、光源に給電する電池の寿命が向上するので、その分だけコストダウンを図ることができる。
【００２５】
請求項８の発明によれば、光源からの発光は、透光性素材で形成された糸ガイド筒の導光窓部を通じて糸ガイド筒の内部の糸挿通空間内に導き入れられることから、糸挿通空間を形成する糸ガイド筒の内周面には突起物が一切存在しないので、釣糸を極めて円滑に糸挿通空間内に挿通させることができる。
【００２６】
請求項９の発明によれば、最も重量の大きい電源部が釣竿内に収容されるから、釣竿の重量バランスが糸用蓄光器の取り付けによって殆ど影響を受けないので、竿振り回しなどを支障無く行うことができるとともに、電源部に対する釣糸の糸絡み発生といったことを全く留意する必要がない利点がある。
【００２７】
請求項１０の発明によれば、電源部を釣竿内に収容した構成において、釣竿に対する光照射部の離間距離を任意に可変調整できるので、光照射部の位置を、糸用蓄光器を取り付けるべき釣竿に設けられた糸ガイドのセッティング高さや糸通し孔の形成位置に適応するように設定することができる。
【発明を実施するための最良の形態】
【００２８】
以下、本発明の最良の実施形態について、図面を参照しながら説明する。図１（ａ）は本発明の第１実施形態に係る糸用蓄光器１をスピニングリール用釣竿２に取り付けた状態を示す全体図、同図（ｂ）は同糸用蓄光器１をベイトリール用釣竿３に取り付けた状態を示す全体図である。スピニングリール用釣竿２はスピニングリール４が取り付けられた釣竿であり、ベイトリール用釣竿３はベイトリール７が取り付けられた釣竿であり、何れの釣竿２，３においても、各リール４，７に巻かれた蓄光用蛍光釣糸８が、釣竿２，３に設けられた複数の糸ガイド９Ａ〜９Ｄを介して竿先へ送られる。
【００２９】
上記糸用蓄光器１は、構成を大別すると、釣竿２，３に着脱自在に取り付けられる電源部１０と、この電源部１０に帯状の連結片１２を介して接離自在に連結された光照射部１１とを備えて構成されている。この実施形態では、釣竿２，３におけるリール４，７と第１糸ガイド９Ａとの間の箇所、つまり竿尻付近の箇所に取り付けた場合を例示してある。この糸用蓄光器１は、蓄光用蛍光釣糸８をリール４，７に対し繰り出す時または巻き取る時に、電源部１０から光照射部１１の光源に給電して光源を発光駆動し、光照射部１１の糸挿通空間の内部に予め挿通された蓄光用蛍光釣糸８を、光源の発光により光照射された糸挿通空間内を移動させることにより、蓄光用蛍光釣糸８に含有している蓄光剤を光照射によって励起し、それにより釣糸８を自発光させるものである。
【００３０】
図２（ａ），（ｂ）はそれぞれ同上の糸用蓄光器１を示す一部破断した正面図および一部破断した平面図であり、（ｃ）は、（ａ），（ｂ）の各部との相対位置を明確に図示するために、（ａ）の配置から上下反転させた状態で見た背面図を示している。電源部１０は、両端が閉塞された中空円筒状の外観を有し、釣竿２，３へ固定するための取付機構部１３が設けられている。
【００３１】
上記取付機構部１３は、軟質樹脂により帯状に形成されて、その長さ方向の中央部から先端部にかけた外側面に鋸歯状の被係止部１４ａが形成されて基端部が電源部１０の外面に固着された固定手段である固定バンド１４と、断面Ｖ字形を有する溝状の釣竿受面１７ａが形成されて電源部１０の外面に固着された釣竿受部材１７と、この釣竿受部材１７に対し直交方向に向け電源部１０から突設されて固定バンド１４を挿通させるホルダ１８と、このホルダ１８に支軸２０を介して回動自在に支持されたバックルロック板１９と、バックルロック板１９を固定バンド１４の被係止部１４ａに係合する回転方向に付勢するように一端が取付機構部１３に固定され、他端がバックルロック板１９に固定されているロックばね２１と、固定バンド１４の内面における釣竿受部材１７との対向箇所に摩擦係数の高い構成とするために固着されたゴム板２２とを備えて構成されている。釣竿受部材１７は硬質素材により形成されている。
【００３２】
電源部１０を上記取付機構部１３によって釣竿２，３に取り付けるに際しては、取付機構部１３を、バックルロック板１９をロックばね２１の付勢力に抗し被係止部１４ａから離脱する方向に回動させた状態で固定バンド１４をホルダ１８から抜脱し、図２（ｂ）に明示するように、釣竿２，３における糸用蓄光器１を取り付けるべき箇所の外側面に釣竿受部材１７の釣竿受面１７ａを当てがい、この状態で固定バンド１４を釣竿２，３における釣竿受部材１７とは反対側の外側面に巻き付けるように沿わせた配置でホルダ１８とバックルロック板１９との間に挿通させたのち、その固定バンド１４を移動不能となるまで先端側に可及的に引っ張って、この固定バンド１４に設けたゴム板２２と釣竿受部材１７の釣竿受面１７ａとで釣竿２，３を対向両側から挟み付ける。このとき、ロックばね２１から回動付勢力を付与されたバックルロック板１９が被係止部１４ａの歯部に常に係合しているので、バックルロック板１９は、固定バンド１４に対し、先端方向への移動を許容するが、ホルダ１８に対し抜脱方向への移動が阻止するので、固定バンド１４は、移動不能となる位置においてバックルロック板１９で位置固定される。したがって、この取付機構部１３は、容易な操作で電源部１０を釣竿２，３に取り付けることができる。
【００３３】
また、上記取付機構部１３は、通常、円形の横断面形状を有する釣竿２，３に対して、硬質素材で形成された釣竿受部材１７におけるＶ字形の横断面形状を有する溝状の釣竿受面１７ａとゴム板２２とにより両方から挟み付けるようになっているので、電源部１０を釣竿２，３に強固に固定できる。すなわち、釣竿受部材１７は、釣竿２，３の径が種々に異なっても、これら何れの釣竿２，３をも、断面Ｖ字形の溝状に形成された釣竿受面１７ａにおける溝に沿った少なくとも２箇所の線上の箇所で非弾性的に受け止めて、釣竿２，３の長手方向の軸が釣竿受面１７ａの溝方向から位置ずれしないように保持する。さらに、釣竿受部材１７は、固定バンド１４と共に釣竿２，３に対して強固な締付け力を付与し、且つその締付け力を保持することができるとともに、釣竿受面１７ａの対向側から摩擦係数の大きいゴム板２２が圧接される。そのため、電源部１０は、取付機構部１３を介して確実に回り止めおよび位置ずれを防止された状態で釣竿２，３に固定されるので、釣竿２，３が振り回されるときに釣竿２，３の軸上で回ったり、釣竿２，３の軸と不一致となる状態に位置ずれしたりするおそれがない。なお、図示は省略するが、前記釣竿受部材１７を摩擦係数の高い軟質材料で形成しても良いが、この場合、釣竿を受け止めた際の釣竿受部材１７の弾性変形を規制するため、電源部１０の外面から硬質の支持構造物を突出させ、その支持構造物上に釣竿受面１７ａの裏面を接する様、釣竿受部材１７を被せて固着することにより、強固な締め付け力を付与することができる。
【００３４】
さらに、上記取付機構部１３は、釣竿２，３の外周面の任意箇所に電源部１０を配置して光照射部１１を任意の方向に突出する配置で取り付けられることから、図１に示した糸ガイド９Ａ〜９Ｄの取付方向が互いに異なるスピニングリール用釣竿２とベイトリール用釣竿３の何れにも容易に取り付けることができる。
【００３５】
また、上記取付機構部１３は、ホルダ１８に挿通させた固定バンド１４を引っ張るだけで釣竿２，３に強固な締付け力で電源部１０を取り付けでき、且つバックルロック板１９を回動操作して被係止部１４ａに対する係止を解除したのち固定バンド１４をホルダ１８から抜脱するだけで電源部１０を釣竿２，３から取り外すことができるので、多種の釣竿２，３に対し電源部１０を容易な操作で取り付けおよび取り外しすることができる。
【００３６】
図３（ａ）は上記糸用蓄光器１の縦断面図、同図（ｂ）は（ａ）のＡ−Ａ線に沿った断面図、同図（ｃ）は同図（ａ）のＦ−Ｆ線に沿った断面図をそれぞれ示す。同図（ａ）において、電源部１０は、光照射部１１の後述する光源の駆動電源となる電池２４を収容する円筒状の電池ケース２３の上端開口および下端開口がそれぞれケース蓋体２７およびスイッチキャップ２８で閉塞されて、中空円筒状の外装体に構成されている。ケース蓋体２７およびスイッチキャップ２８は、電池ケース２３に対し、それぞれＯリング２９，３０を介在して密閉状態で着脱自在に嵌着されている。また、電池２４から光照射部１１に対し給電するための電源コード線３１はゴムブッシュ３２を介して密閉状態でケース蓋体２７から導出されている。これにより、電源部１０の外装体は、内部への浸水を確実に阻止できる防水構造に構成されているので、水しぶきや雨水に曝されても、これらから内部収容の電池２４などが確実に保護されるから、釣り場や天候を選ぶことなく使用できる。
【００３７】
図３（ｂ）に示すように、上記スイッチキャップ２８を矢印方向に回転させると、スイッチキャップ２８と一体に移動する操作片３３がスイッチリード３４を弾性変形させながら、２点鎖線で図示するようにスイッチリード３４を導通板３７に電気的接続させる。これにより、電池２４は、電池リード３８を通じて引き出される負極側と、スイッチリード３４、導通板３７および接続端子３９を通じて引き出される正極側とが電池２４を介し電気的に接続されて、電源コード線３１を通じて光照射部１１の後述の光源に対し給電するスイッチ機構が構成されている。このスイッチ機構は、釣糸８のリール４，７に対する繰り出し時および巻き取り時のみスイッチキャップ２８を外部から回転操作して、電池２４から光照射部１１の光源に給電するようにすれば、電池２４の寿命を確保しながら釣糸８に対する光励起を効果的に行うことができる。
【００３８】
一方、光照射部１１は、図３（ａ），（ｃ）に示すように、ほぼ円筒状に形成された外装ケース４０の下端開口部にガイド筒体４１が嵌着して連接され、透光性素材により円筒状に形成された糸ガイド筒４２が、外装ケース４０の筒心に合致する配置で、上下両端部が外装ケース４０の保持筒部４０ａとガイド筒体４１の保持筒部４１ａとにそれぞれ嵌合して保持されている。上記糸ガイド筒４２の外周面には、反射シートの貼着または反射膜の塗着により反射鏡部４３が形成されているが、糸ガイド筒４２の筒心に沿った方向における２箇所に、反射鏡部４３が未形成の導光窓部４４が設けられている。
【００３９】
糸ガイド筒４２の外部の近傍箇所には、紫外線発光ダイオードからなる２個の光源４７が２つの導光窓部４４に対応する配置で実装されたプリント配線回路基板４８が、糸ガイド筒４２の筒心に平行で、且つ２個の光源４７を２つの導光窓部４４に臨ませた配置で、外装ケース４０の支持片４０ｂに支持されている。図３（ｃ）に示すように、電源コード線３１はプリント配線回路基板４８に接続されており、光源４７は電源部１０の電池２４から電源コード線３１およびプリント配線回路基板４８を通じて給電されることにより、発光駆動される。
【００４０】
上記糸ガイド筒４２の外面は、外装ケース４０およびガイド筒体４１に対し、それぞれＯリング４９，５０を介在して密閉状態で嵌着されている。また、電源部１０からの電源コード線３１はゴムブッシュ５１を介して密閉状態で外装ケース４０内に導入されている。これにより、光照射部１１における外装ケース４０およびガイド筒体４１と糸ガイド筒４２との間に形設された環状空間は、浸水を確実に阻止できる防水構造に構成されているから、内部収容のプリント配線回路基板４８や光源４７は、水しぶきや雨水に曝されても、これらから確実に保護されるので、釣り場や天候などを選ぶことなく使用できる。さらに、糸ガイド筒４２の両端開口部には耐磨耗リング５９が連接されており、これにより釣糸８が長期にわたり糸ガイド筒４２の内部の糸挿通空間４２ａ内を円滑に挿通するように図っている。
【００４１】
上記糸ガイド筒４２の内部の糸挿通空間４２ａは、２個の光源４７から発せられた光が導光窓部４４を透過して導入され、且つその光が反射鏡部４３で反射されることにより、光が均等な分布で照射された状態となる。この光が均等な分布で照射された糸ガイド筒４２の糸挿通空間４２ａには蓄光用蛍光釣糸８が挿通されて、蓄光用蛍光釣糸８が光照射を受けて励起される。これの詳細については後述する。
【００４２】
上記光照射部１１は、連結調節機構部１５を介し電源部１０に接離自在に連結されて、電源部１０に対する離間距離を任意に調節できるようになっている。連結調節機構部１５は、図２（ａ），（ｂ）に示すように、光照射部１１の糸ガイド筒４２の筒心に対し直交方向に延びる配置で基端部が光照射部１１の外装ケース４０の外面に固着された帯状の連結片１２と、電源部１０の電池ケース２３におけるホルダ１８とは反対側の外面箇所から一体に突設された保持部５２と、この保持部５２に基端部の固定カム軸部５３ａが支軸５４を介して回転自在に支持された固定操作用レバー５３と、上記固定カム軸部５３ａの適所に固着された弾性受部材５７とを備えて構成されている。保持部５２には、連結片１２を嵌まり込ませて摺動自在に保持するガイド溝５２ａが設けられている。
【００４３】
上記構成とした連結調節機構部１５は、固定操作用レバー５３を回動操作して図２（ｂ）の２点鎖線で示す位置に設定することにより、固定操作用レバー５３の固定カム軸部５３ａによる連結片１２の固定が解除されて、連結片１２が保持部５２のガイド溝５２ａ内を摺動しながら変位可能な状態となる。したがって、連結片１２を保持部５２に対し摺動させて保持部５２からの突出長さを可変することにより、釣竿２，３に固着の電源部１０に対する光照射部１１の離間距離を任意に可変調整できるので、光照射部１１の位置を、糸用蓄光器１を取り付けるべき釣竿２，３に設けられた糸ガイド９Ａ〜９Ｄ（図１）のセッティング高さや糸通し孔の形成位置に適応するように設定することができる。これにより、この糸用蓄光器１は、光照射部１１の位置を、多種の釣竿２，３に設けられている糸ガイド９Ａ〜９Ｄのセッティング高さに適応するよう可変調整して、釣糸８の通りを良くすることができるので、多種の釣竿２，３に好適に共用できる互換性を有している。
【００４４】
連結片１２の変位による光照射部１１の位置調節が終わったときには、固定操作用レバー５３を図２（ｂ）の２点鎖線位置から実線位置に回動操作するだけで、固定カム軸部５３ａが弾性受部材５７を介して連結片１２を保持部５２のガイド溝５２ａ内に強固に押し付けるので、光照射部１１の位置を確実に固定することができる。
【００４５】
つぎに、上記糸用蓄光器１における釣糸８に対する光照射による励起について、図４を参照しながら説明する。図４（ａ）は光照射部１１の糸ガイド筒４２内の光照射状況を示す光学図であり、（ｂ）は（ａ）のＢ−Ｂ線に沿った断面図である。図４（ａ）に示すように、円筒形の透光性糸ガイド筒４２の外周面には、反射シートを巻き付け状態で貼着してなる反射鏡部４３が設けられている。反射鏡部４３は、この実施形態において、厚さ０．０５ｍｍのアルミニウム蒸着シートを貼着して形成されている。この反射鏡部４３には、糸ガイド筒４２の筒心に対し平行な同一線上の２箇所位置に、反射シートに穿孔を施して形成された、つまり反射鏡部４３が未形成の導光窓部４４が設けられている。
【００４６】
図３のプリント配線回路基板４８に実装された２個の光源４７は、発光部を上記各導光窓部４４に臨ませた配置で糸ガイド筒４２に近接対向して設けられている。したがって、光源４７の発光は、１点鎖線で図示したように、導光窓部４４から透光性糸ガイド筒４２における筒壁を透過して糸挿通空間４２ａ内に導入されたのち、反射鏡部４３で反射を繰り返す。上記２個の光源４７の間隔は、光源４７が有する指向特性に対応して、糸ガイド筒４２の糸挿通空間４２ａ内に光の死角が生じないように各々の光照射範囲をずらした配置に設定されている。これにより、光源４７として、２個の点光源を用いるだけであるにも拘らず、糸ガイド筒４２内部の糸挿通空間４２ａは、光源４７からの発光が反射および拡散されて、空間４２ａ全体がほぼ均等な分布で光照射された状態となる。しかも、光源４７からの発光は、透光性素材で形成された糸ガイド筒４２の導光窓部４４を通じて糸ガイド筒４２の内部の糸挿通空間４２ａ内に導き入れられることから、糸挿通空間４２ａを形成する糸ガイド筒４２の内周面には突起物が一切存在しないので、釣糸８を極めて円滑に糸挿通空間４２ａ内に挿通させることができる。
【００４７】
さらに、２個の光源４７が釣糸８の通過方向に沿って所定の間隔で配設されているので、釣糸８は、糸ガイド筒４２内部の糸挿通空間４２ａを通過する際に、２個の光源４７からの各発光が時間的なずれをもって段階的に光照射されることにより、高い励起効果で効果的に蓄光される。すなわち、釣糸８に含有されている蓄光剤は、図４（ａ），（ｂ）の比較のために示した図４（ｃ），（ｄ）のように糸ガイド筒４２の径方向で相対向する２個所から光源４７の発光を糸挿通空間４２ａ内に導入する構成として強い光が集中して短時間に照射される場合よりも、図４（ａ），（ｂ）に示したように弱い光であっても段階的に比較的長い時間をかけて光照射される方が励起効果が高くなるからである。しかも、このような構成とすることにより、光源４７の光出力を小さく設定することができることから、光源４７に給電する電池２４の寿命が向上するので、その分だけコストダウンを図ることができる。さらに、図４（ｃ），（ｄ）の構成とした場合には、糸ガイド筒４２の径方向の両側に導光窓部４４が相対向しているから、一方の光源４７からの発光が他方の光源４７の設置用の導光窓部４４から外部に漏れ出てしまい、発光の全てを有効に活用できない。
【００４８】
光源４７としては、釣糸８の蓄光剤を励起し易い波長の光を発するもの、例えば、紫外線発光ダイオード、キセノンランプ、ハロゲンランプまたは蛍光管などを好適に用いることができる。取り分け、紫外線領域の波長成分を多く含んだ光は蓄光剤の励起効率を向上させることができるので、この実施形態では、光源４７として、紫外線発光ダイオードが用いられており、紫外線発光ダイオードを用いることによって以下のような効果が得られる。すなわち、紫外線領域の波長成分を多く含んだ光によって釣糸８の蓄光剤の励起効率の向上を図ることができるので、釣糸８の通過速度が速い場合にも確実な励起効果を得ることができるとともに、紫外線領域の波長成分の光しか発しないことから、人間の目に視認され難い紫外線の光であることから、周囲に眩しい光を拡散するといったことが生じなく、しかも、自体の省電力特性によって電池２４の寿命の向上が図れ、蓄光器１全体の小型軽量化を図ることができる利点がある。例えば、光源４７として紫外線発光ダイオードを用いた場合には、光照射部１１を３０〜４０ｍｍ程度の長さまで小型化することができる。
【００４９】
また、図５（ａ），（ｂ）に示すように、糸ガイド筒４２の筒壁における筒心方向に沿った２箇所に、実施形態で設けた導光窓部４４に代えて、反射鏡部４３を含めて貫通した取付孔５８を設けて、この各取付孔５８に光源４７を嵌入して配設するようにしてもよい。これにより、光源４７は、図３のプリント配線回路基板４８に実装された状態で取付孔５８に嵌入されるので、強固に固定される。さらに、図５（ｃ），（ｄ）に示すように、糸ガイド筒４２の内周面に反射鏡部４３を形成するとともに、図５（ａ），（ｂ）で設けたと同様の取付孔５８を糸ガイド筒４２の筒壁に形成して光源４７を嵌入固定する構成としてもよい。この構成とした場合には、光源４７を強固に固定できるのに加えて、光源４７からの発光が糸ガイド筒４２の内周面の反射鏡部４３で反射するので、その反射鏡部４３からの反射光の釣糸８までの光照射距離が短くなり、その分だけ蓄光剤の励起効率が向上する。
【００５０】
上記糸用蓄光器１は、電源部１０と光照射部１１とが連結片１２を介して連結された一体物であるから、別体に構成されて釣竿の異なる個所にそれぞれ取り付けられ電源部と発光部とを電源コードで相互に接続する構成のものに比較して、釣りに出かけるに際しての持ち運びが容易であるとともに、釣竿２，３に容易に着脱できる。すなわち、釣竿２，３に取り付けるに際しては、電源部１０に設けた取付機構部１３の釣竿受部材１７を釣竿２，３の一側面に当てがった状態で、固定バンド１４を釣竿２，３の他側面に巻き付けるようにしてホルダ１８に挿通したのち、その固定バンド１４を変位不能となるまで引っ張るだけの、ほぼワンタッチ操作で迅速に取り付けできる。
【００５１】
しかも、その取付状態では、ロックばね２１で回転付勢されたバックルロック板１９が固定バンド１４の鋸歯状の被係止部１４ａに対し解除操作しない限り係脱しない状態で係合して、固定バンド１４の締付け力の弛みを確実に阻止するので、釣り中に不意に位置ずれしたりするおそれがない。また、取り外しに際しては、ロックばね２１の付勢力に抗してバックルロック板１９を回動させて固定バンド１４の被係止部１４ａから離脱させる操作を行うだけで、固定バンド１４をホルダ１８から容易に抜脱することができる。
【００５２】
上記糸用蓄光器１は、最も重量の大きい部材である電源部１０を釣竿２，３に対して沿わせる配置で密接させた状態で取り付けるようになっているから、比較的容量の大きな電池２４を収容した場合であっても釣竿２，３本来の重量バランスが崩れ難いので、竿振り時のぶれを抑えることができ、釣竿２，３の振り回しの感覚に悪影響を与えることがない。特に、糸用蓄光器１を釣竿２，３に取り付けているリール４，７の近傍箇所、すなわち手元付近に配置して取り付ければ、釣り人に糸用蓄光器１の重みを殆ど感じさせなくすることができる。
【００５３】
さらに、上記糸用蓄光器１は、釣竿受部材１７と固定バンド１４とで両側から挟み付ける状態で締め付けて電源部１０を容易に釣竿２，３に固定できることと、釣竿２，３に固定した電源部１０に対する光照射部１１の間隔位置を任意に調整できることとにより、多種の釣竿２，３に取り付けて支障無く使用できる互換性を有している。例えば、図１（ａ），（ｂ）のスピニングリール４とベイトリール７とは釣竿２，３に対する糸ガイド９Ａ〜９Ｄの取付位置が互いに逆であるが、これに対しては、電源部１０を釣竿２，３に対し糸ガイド９Ａ〜９Ｄとは反対側に配置して釣竿２，３に固定することで容易に適応できる。
【００５４】
また、糸ガイド９Ａ〜９Ｄのセッティング位置は、磯竿、投げ竿、ルアー竿などの釣竿の種類や番手の相違で種々に異なるが、これに対しては、連結調節機構部１５において、固定操作用レバー５３の操作により固定カム軸部５３ａによる連結片１２の固定を解除し、連結片１２を保持部５２のガイド溝５２ａに摺動させながら光照射部１１の位置を糸ガイド９Ａ〜９Ｄのセッティング高さに適応するように調整したのち、固定操作用レバー５３の操作により固定カム軸部５３ａで連結片１２を固定することにより、光照射部１１の糸ガイド筒４２を、これの筒心が糸ガイド９Ａ〜９Ｄのセッティング高さに合致するように位置決めできる。これにより、釣糸８の通りがスムーズになり、釣糸８が糸ガイド筒４２内を通過するときの通過抵抗の増大による仕掛けや疑似餌などの飛距離の低下を防止できる。
【００５５】
図６（ａ），（ｂ）はそれぞれ本発明の第２実施形態に係る糸用蓄光器１を示す正面図および平面図であり、（ｃ）は、（ａ），（ｂ）に対する各部の相対位置を明確に図示するために、（ａ）の配置から上下反転させた状態で見た背面図である。同図において、図２と同一若しくは実質的に同等のものには同一の符号を付して、重複する説明を省略する。この実施形態の糸用蓄光器１では、第１実施形態で設けた保持部５２と固定操作用レバー５３と弾性受部材５７とからなる連結調節機構部１５に代えて、電源部１０に固設されて光照射部１１から延びる連結片１２を摺動自在に保持する保持部６１と、位置調整した連結片１２を保持部６１に固定するボルト６２とナット６３とを備えた連結調節機構部６０を設けた構成においてのみ第１実施形態と相違する。
【００５６】
上記保持部６１は、第１実施形態の保持部５２よりも大きく形成された外形に、細長い長方形の断面形状に形成されて連結片１２を摺動自在に挿通させるガイド保持孔６１ａと、ボルト６２の六角形の頭部６２ａを嵌入させる嵌合孔６１ｂと、この嵌合孔６１ｂに対しガイド保持孔６１ａを挟んだ反対側に設けられてボルト６２のねじ部が挿通される挿通孔６１ｃとが形成されている。連結片１２には、短い帯状の長手方向に沿って延びるガイド長孔１２ａが形成されており、このガイド長孔１２ａは、ボルト６２のねじ軸部の径よりも僅かに大きな孔幅に形成されて、挿通されたボルト６２のねじ軸部に摺接しながら連結片１２の長手方向への移動を許容するよう機能する。
【００５７】
上記連結調節機構部６０は、ナット６３を回転操作してボルト６２に対する締結を弛めると、ボルト６２とナット６３とで挟み付けられていたことによる連結片１２と保持部６１との圧接による固定が解除されて、連結片１２が、ガイド長孔１２ａの孔縁をボルト６２のねじ軸部に摺接させながら保持部６１のガイド保持孔６１ａ内を摺動可能な状態となるので、連結片１２をガイド保持孔６１ａに対し出入させて光照射部１１の電源部１０に対する相対位置を調整し、そののちに、ナット６３を回転操作してボルト６２に対し締結すると、連結片１２が、保持部６１と共にボルト６２とナット６３とで締め付けられて、調整後の位置に固定される。なお、ボルト６２は、六角形の頭部６２ａが保持部６１の嵌合孔６１ｂに嵌入して回り止めされているので、ナット６３の締め付けおよび締め付け解除の回転操作を一方の手による手動操作で行うことができるから、他方の手で連結片１２の位置調整の手動操作を行うことにより、光照射部１１の位置調整をほぼワンタッチ操作で迅速に行うことができる。
【００５８】
なお、上記糸用蓄光器１では、光照射部１１の位置調整を行うに際して、第１実施形態における固定操作用レバー５３を用いた連結調節機構部１５や、第２実施形態におけるボルト６２とナット６３とを用いたねじ式の連結調節機構部６０に限らず、連結片１２の位置固定および固定解除を容易な操作で行える他の周知の機構を用いることもできる。
【００５９】
図７（ａ）は本発明の第３実施形態に係る糸用蓄光器１を示す正面図、同図（ｂ）は、（ａ）の配置から上下反転させた状態で見た背面図であり、これらの図と第１実施形態において相当する図２（ｂ），（ｃ）と同一若しくは実質的に同等のものには同一の符号を付して、重複する説明を省略する。この実施形態の糸用蓄光器１では、第１実施形態で設けた固定バンド１４、釣竿受部材１７、ホルダ１８、バックルロック板１９、支軸２０およびロックばね２１を備えて構成された取付機構部１３に代えて、布帯からなる固定バンド６８と面フアスナー６７と釣竿受部材１７とからなる簡素化された取付機構部６４を設けた構成においてのみ第１実施形態と相違する。
【００６０】
上記固定バンド６８は、図７（ａ）に示すように、第１実施形態の固定バンド１４よりも大きな幅、つまり電池ケース２３の長さに相当する幅を有して、その一端部６８ａが電池ケース２３の外側面に固着されており、その一端部寄りの箇所に、保持部５２およびゴムブッシュ３２を挿通させる切欠き孔６８ｃが形成されている。この固定バンド６８の中間部には、第１実施形態と同様に釣竿受部材１７の釣竿受面１７ａと共に釣竿２，３を両側から挟み付けて固定するためのゴム板２２が固着されている。上記面ファスナー６７の雄側ファスナー面６７ａおよび雌側ファスナー面６７ｂは、固定バンド６８の一端部６８ａおよび他端部における互いに対面する箇所にそれぞれ縫着されている。
【００６１】
上記取付機構部６４では、釣竿受部材１７の釣竿受面１７ａを釣竿２，３の取り付けるべき箇所の側面に当てがった状態で、固定バンド６８を釣竿２，３に巻き付けて、この固定バンド６８を他端側に引っ張りながら釣竿受面１７ａとゴム板２２とで釣竿２，３を両側から挟んで締め付け、そののち、固定バンド６８の雌側ファスナー面６７ｂを雄側ファスナー面６７ａに押し付けて互いに係着させるだけで、電源部１０を釣竿２，３に取り付けることができる。したがって、この取付機構部６４は、第１実施形態の取付機構部１３に比べて、取付操作が一層容易であるとともに、取付機構部１３が有するホルダ１８、バックルロック板１９、支軸２０およびロックばね２１が不要となって構成が簡素化されるので、その分だけコストダウンを図ることができる。
【００６２】
なお、電源部１０を釣竿２，３に取り付ける機構としては、上述の各実施形態で例示した取付機構部１３，６４に限らず、電源部１０の釣竿２，３に対する固定および固定解除を容易な操作で行える他の周知の種々の機構、例えば、ゴムベルトの係止孔に止め金を係入させる機構などを適用することもできる。
【００６３】
図８（ａ），（ｂ）はそれぞれ本発明の第４実施形態に係る糸用蓄光器６９を示す正面図および平面図であり、（ｃ）は、（ａ），（ｂ）に対する各部の相対位置を明確に図示するために、（ａ）の配置から上下反転させた状態で見た背面図である。同図において、図２および図３と同一若しくは実質的に同等のものには同一の符号を付して、重複する説明を省略する。この実施形態の糸用蓄光器６９は、第１実施形態の電源部１０から取付機構部１３および連結調節機構部１５を除外して、その状態とした電源部１０が釣竿２，３の内部空間に収容され、第１実施形態において電源部１０に固着して一体に設けたとほぼ同じ構成の連結調節機構部１５が、これの保持部５２を釣竿２，３の外面に固定して設けられ、電源部１０からの電源コード線３１が、釣竿２，３の挿通孔７０から外部に導出されて、第１実施形態と同一構成の光照射部１１に接続された構成を有している。したがって、光照射部１１の釣竿２，３からの離間距離は第１実施形態で説明したと同様の操作で調節することができる。
【００６４】
釣竿２，３における糸用蓄光器６９の収容箇所は、竿振り回し時における全体の重量バランスを考慮して、グリップエンドに設けることが好ましい。すなわち、釣竿２，３のグリップエンドの箇所に、図８（ａ）に示すように、釣竿本体に対し着脱自在に連結可能に分離された竿尻基端部７１を設け、この竿尻基端部７１を、これの嵌合部７１ａに釣竿本体の被嵌合部７２を圧入させて釣竿本体に着脱自在に連結する構成とする。電源部１０は、竿尻基端部７１を取り外した状態として釣竿本体の収容箇所の内部空間に挿入して、電源部１０の上端のケース蓋体２７を釣竿本体の内方に突設された係止環部７３に当接させた状態で、竿尻基端部７１を釣竿本体に連結する。これにより、電源部１０は、上記係止環部７３と竿尻基端部７１の支持片部７１ｂとにより上下から挟持固定される。
【００６５】
電源部１０のスイッチキャップ２８を介してのオン・オフ操作は、竿尻基端部７１を釣竿本体から抜脱して竿尻基端部７１の開口から電源部１０を露出させた状態で行う。また、電源部１０の電池２４の交換は、竿尻基端部７１を釣竿本体から抜脱したのちに電源部１０を取り出して行うようになっている。
【００６６】
この糸用蓄光器６９では、最も重量の大きい電源部１０が釣竿２，３内に収容されるから、釣竿２，３の重量バランスが糸用蓄光器６９の取り付けによって殆ど影響を受けないので、竿振り回しなどを支障無く行うことができるとともに、電源部１０に対する釣糸の糸絡み発生といったことを全く留意する必要がない。
【産業上の利用可能性】
【００６７】
この発明に係る糸用蓄光器は、連結片の保持部に対する摺動により電源部と光照射部との間隔を調整可能としたので、各種の釣竿に容易、且つ適正に着脱できる互換性を有し、通常の釣りを行いながら釣糸を自動的、且つ効果的に励起でき、釣竿に取り付けながらも違和感なく釣りを行えるなどの実用的効果が確実に得られる。
【図面の簡単な説明】
【００６８】
【図１】（ａ）は本発明の第１実施形態に係る糸用蓄光器をスピニングリール釣竿に取り付けた状態を示す全体図、（ｂ）は同上の糸用蓄光器を両軸リール用釣竿に取り付けた状態を示す全体図
【図２】（ａ），（ｂ）はそれぞれ同上の糸用蓄光器を示す一部破断した正面図および一部破断した平面図、（ｃ）は（ａ）の配置から上下反転させた状態で見た背面図
【図３】（ａ）は同上の糸用蓄光器の縦断面図、（ｂ）は（ａ）のＡ−Ａ線に沿った断面図、（ｃ）は（ａ）のＦ−Ｆ線に沿った断面図
【図４】（ａ）は同上の糸用蓄光器の光照射部の糸ガイド筒内における光照射状況を示した光学図、（ｂ）は（ａ）のＢ−Ｂ線に沿った断面図、（ｃ）は（ａ）に対する比較のために示した光学図、（ｄ）は（ｃ）のＣ−Ｃ線に沿った断面図
【図５】（ａ）は糸ガイド筒内への光照射の他例を示す光学図、（ｂ）は（ａ）のＤ−Ｄ線に沿った断面図、（ｃ）は糸ガイド筒内への光照射のさらに他例を示す光学図、（ｄ）は（ｃ）のＥ−Ｅ線に沿った断面図
【図６】（ａ），（ｂ）はそれぞれ本発明の第２実施形態に係る糸用蓄光器を示す正面図および平面図、（ｃ）は（ａ）の配置から上下反転させた状態で見た背面図
【図７】（ａ）は本発明の第３実施形態に係る糸用蓄光器を示す平面図、同図（ｂ）は、（ａ）の配置から上下反転させた状態で見た背面図
【図８】（ａ），（ｂ）はそれぞれ本発明の第４実施形態に係る糸用蓄光器を示す正面図および平面図、（ｃ）は（ａ）の配置から上下反転させた状態で見た背面図
【符号の説明】
【００６９】
１，６９  糸用蓄光器
８  蓄光用蛍光釣糸
１０  電源部
１１  光照射部
１２  連結片
１３，６４  取付機構部
１４，６８  固定バンド（固定手段）
１５，６０  連結調節機構部
１７  釣竿受部材
１７ａ  釣竿受面
１９  バックルロック板（係止保持手段）
２２  ゴム板
２３  電池ケース
４０  外装ケース
４２  糸ガイド筒
４２ａ  糸挿通空間
４３  反射鏡部
４４  導光窓部
４７  光源
５２，６１  保持部
５３  固定操作用レバー（止め手段）
６３  ナット（止め手段）
６７  面ファスナ（係止保持手段）
【図１】
2007129974.tif 000003
【図２】
2007129974.tif 000004
【図３】
2007129974.tif 000005
【図４】
2007129974.tif 000006
【図５】
2007129974.tif 000007
【図６】
2007129974.tif 000008
【図７】
2007129974.tif 000009
【図８】
2007129974.tif 000010